(57)【要約】【課題】乳幼児を抱いたり、おんぶしたりする際にそれを補助すると共に、前記乳幼児の身体との通気性を確保できる。【解決手段】乳幼児は本体部１０と乳幼児把持部３０に挟まれ、その移動は固定ベルト部７０で拘束されるが、その乳幼児把持部３０側は通気性のよい材料で形成され、乳幼児の少なくとも身体の一面が温度上昇するということがなくなる。特に、親の動きや乳幼児の動きに伴って乳幼児把持部３０が変形し、空気層の空気が排出及び供給されるから長時間の使用に対しても蒸れやジトジト感がなくなり、部分的な体温上昇が防止でき、清涼感、爽快感が得られる。また、本体部１０の内面に立体編物からなる乳幼児把持部３０と同様の生地で、特定の厚みのものを設けると、更に、清涼感、爽快感が増すことになる。【選択図】図３
2012110418.tif 000002
【特許請求の範囲】
【請求項１】
乳幼児の身体の反親側にあてがわれる本体部と、
前記本体部に取付けられ、一方の表生地と前記表生地に対向する裏生地及び前記表生地と前記裏生地との間に形成された特定の厚みを有する通気性のある空気層からなる立体編物で形成した乳幼児把持部と、
前記本体部の親側の位置で、前記本体部と前記乳幼児把持部との間隔を調節自在とし、乳幼児の身体を固定する固定ベルト部と
を具備することを特徴とするベビーキャリア。
【請求項２】
前記本体部は、親側の面の一部または全部を、前記表生地と裏生地及び前記表生地と前記裏生地との間に形成された特定の厚みを有する通気性のある空気層からなる立体編物で形成したことを特徴とする請求項１に記載のベビーキャリア。
【請求項３】
前記通気性のある空気層からなる立体編物は、前記表生地と裏生地及び前記表生地と前記裏生地との間に織り込まれ、両者間の空気層の厚みを形成する連結糸からなる特定の厚みを有することを特徴とする請求項１または請求項２に記載のベビーキャリア。
【請求項４】
更に、乳幼児の身体の反親側にあてがわれる本体部の下部には、親の腰に止める腰ベルト部並びに前記本体部の上部に配設された左右の肩ベルト部及び前記肩ベルト部相互間の距離を調整する肩ベルト調整部を具備することを特徴とする請求項１乃至請求項３のいずれか１つに記載のベビーキャリア。
【請求項５】
更に、乳幼児の身体の反親側にあてがわれる本体部には、乳幼児の身体の反親側にあてがわれる本体部の上部から下部に左右の肩ベルト部及び前記肩ベルト部相互間の距離を調整する肩ベルト調整部を具備することを特徴とする請求項１乃至請求項３のいずれか１つに記載のベビーキャリア。
【請求項６】
前記乳幼児把持部は、その左右両側から乳幼児の脚を出し、前記固定ベルト部で前記乳幼児の胴体を保持することを特徴とする請求項１乃至請求項５のいずれか１つに記載のベビーキャリア。
【請求項７】
前記乳幼児把持部は、その左右両側から乳幼児の脚を出し、前記固定ベルト部で前記乳幼児の肩を保持することを特徴とする請求項１乃至請求項５のいずれか１つに記載のベビーキャリア。
【請求項８】
前記乳幼児把持部は、前記本体部の下部に取付けられ、その自由端が上方に延びていることを特徴とする請求項１乃至請求項７のいずれか１つに記載のベビーキャリア。
【請求項９】
前記乳幼児把持部は、前記本体部に取付けられ、その自由端が上方及び下方に延びていることを特徴とする請求項１乃至請求項７のいずれか１つに記載のベビーキャリア。
【発明の詳細な説明】
【技術分野】
【０００１】
本発明は、乳幼児をおんぶしたり、乳幼児と向かい合う対面抱っこ、乳幼児の向きを逆にする前向き抱っこ、乳幼児を寝かせる横抱き抱っこ等で抱いたりするときに、それを補助するためのベビーキャリアに関するものである。
【背景技術】
【０００２】
この種のベビーキャリアについて、例を挙げて説明すると、特許文献１の発明を挙げることができる。即ち、特許文献１のベビーキャリアは、乳幼児の身体にあてがう本体部と、この本体部の上下方向に架け渡された左右の肩ベルトと、前記肩ベルトの下部領域にスライド自在に取り付けられて左右の肩ベルト間の距離を規制する下部規制帯とを備えている。
抱っこのときは、下部規制帯を肩ベルトの下部領域の上方にスライドさせ、本体部を使用者の胸側に装着すると、前記下部規制帯は使用者の背中に位置することとなり、左右の肩ベルトの間隔を規制し、肩ベルトの肩落ちを防止できる。また、おんぶのときは、下部規制帯を下方にスライドしておけば邪魔にならず、支障なくおんぶすることができる。また、前記下部規制帯をスライドさせるという、簡単な操作で抱持方法に適した状態にすることができる。
なお、左右の肩ベルトは常に平行であり分離可能とする必要がなく、肩ベルトの両端を本体部に固着できる。
【先行技術文献】
【特許文献】
【０００３】
【特許文献１】特開２００９−１７８３８９号公報
【発明の概要】
【発明が解決しようとする課題】
【０００４】
特許文献１のベビーキャリアによれば、上部規制帯により肩ベルトの上部領域における肩ベルト間隔が規制され、幼児の胸回りの余分な緩みが無くなり、その収容空間が規制されるので、乳幼児をおんぶしたり、抱っこしたりするときの安定性が高められ、おんぶ時の肩ベルトのずり落ち防止が期待できるものである。
【０００５】
しかし、特許文献１のベビーキャリアは、乳幼児の身体にあてがう本体部が、頭当て部、背当て部及び股当て部が連続して一体に形成されており、特に、乳幼児にとっては、おむつ（おしめ）をしており、おむつに排泄を行うと背当て部及び股当て部によって、乳幼児の下半身側の湿度が高くなり、汗疹ができたり、おむつかぶれになったりする。また、アトピー性皮膚炎体質の人はそれを助長する可能性がある。
殊に、おむつは、おむつ自体に通気性を持たせたり、おむつかぶれになったりすることのない構造の商品に改良が加えられているが、それを包み込む物に密閉性及び保温性があれば、おむつメーカの努力も意味がない。
【０００６】
そこで、乳幼児を抱いたり、おんぶしたりする際にそれを補助すると共に、前記乳幼児の身体との通気性を確保できるベビーキャリアの提供を課題とするものである。
【課題を解決するための手段】
【０００７】
請求項１の発明にかかるベビーキャリアは、乳幼児の身体の反親側にあてがわれる本体部に取付けられ、一方の表生地と対向する裏生地と、前記表生地と前記裏生地との間に形成された特定の厚みを有する通気性のある空気層からなる立体編物で形成した乳幼児把持部と、前記本体部の親側の位置で、前記本体部と前記乳幼児把持部との間隔を調節自在な固定ベルトとを具備するものである。
ここで、上記乳幼児の身体の反親側にあてがわれる本体部は、乳幼児の後頭部から背中、臀部までを支持する適当な弾性及び可撓性を有する材料からなる乳幼児を保護する部材である。
また、上記乳幼児把持部は、前記本体部に分離自在または縫付けにより取付けられ、前記表生地と前記裏生地の間に織り込まれた空気層の厚みを形成する特定の厚みを有するものであり、その面に平行する方向の伸縮が小さくて、厚み方向の変化が大きい材料である。
そして、上記固定ベルト部は、前記本体部の親側の位置で、前記本体部と前記乳幼児把持部との間隔を幼児のサイズに合わせて調節自在とした乳幼児を前記本体部と前記乳幼児把持部との間で固定するベルトであり、乳幼児の胸囲に合わせてもよいし、更に、乳幼児の肩側に合わせてもよい。
更に、上記乳幼児把持部として、前記表生地、前記裏生地とは、前記表生地と前記裏生地との間に織り込まれ、両者間に通気性のある空気層の厚みを形成するものであり、仮に、空間が変形しても、空間が回復する弾性を有するものであればよい。勿論、通常状態で、厚みが外力によって変化するものが望ましい。そして、前記乳幼児把持部のこれら前記表生地と前記裏生地及び連結糸は、その糸の数及び糸種、色彩を特別限定するものではない。
【０００８】
請求項２の発明にかかるベビーキャリアの前記本体部は、乳幼児の身体の親側にあてがわれる面の一部または全部を、前記表生地と前記表生地に対向する裏生地と、前記表生地と前記裏生地との間に形成された特定の厚みを有する通気性のある空気層からなる立体編物で形成したものである。
ここで、前記本体部の乳幼児の身体の親側にあてがわれる面の一部または全部とは、乳幼児の身体に対応した位置の形状よりも広い面積であればよく、その形状はデザイン的に決定すればよい。勿論、前記本体部の全面または内側の全面を立体編物としてもよい。また、前記本体部の一部または全部の立体編物の厚みは、前記乳幼児把持部の厚みよりも厚くしてもよいし、薄くしてもよい。通常、機械的強度を前記本体部に委ねられることから、前記乳幼児把持部の厚みよりも薄いものが使用される。
【０００９】
請求項３の発明にかかるベビーキャリアの前記通気性のある空気層からなる立体編物は、前記表生地と対向する裏生地及び前記表生地と前記裏生地との間に織り込まれ、両者間の空気層の厚みを形成する連結糸からなる特定の厚みを有するものである。
ここで、上記乳幼児把持部を形成する立体編物は、前記本体部の下部に分離自在または縫付け固定により取付けられ、かつ、上方に自由端が延び、前記表生地と前記裏生地の間に織り込まれた空気層の厚みを形成する連結糸からなる特定の厚みを有するダブルラッシェル機で編んだ立体編物からなるものであり、その面に平行する方向の伸縮が小さくて、厚み方向の変化が大きい材料である。殊に、乳幼児把持部としての立体編物は、一方に位置する表生地とは、通常所定のハニカム状に柔軟性に富む糸等を用いて格子状に結びつけて編み込まれたネット（メッシュ）の生地を使用し、裏生地も同様に、所定のハニカム状のネットの生地が使用される。この表生地と裏生地は同じネットの大きさであっても、一方のみが異なっていてもよい。或いは、表生地及び／または裏生地はネットに代えて、多少織目の粗い、即ち、密度の高くない生地としてもよい。また、上記表生地と前記裏生地との間に織り込まれ、両者間の空気層の厚みを形成する連結糸は、前記表生地と前記裏生地との間に空気層とする空間を形成する糸であり、譬え空間が変形しても、空間が回復する弾性を有する糸であればよい。勿論、通常状態で、連結糸が彎曲しており、外力によってその彎曲の曲率が変化するようにするのが望ましい。そして、上記織布本体のこれら前記表生地と前記裏生地及び連結糸は、その糸の数及び糸種、色彩を特別限定するものではない。
【００１０】
請求項４の発明にかかるベビーキャリアは、更に、乳幼児の身体の反親側にあてがわれる本体部の下部には、親の腰に止める腰ベルト部並びに前記本体部の上部に配設された左右の肩ベルト部及び前記肩ベルト部相互間の距離を調整する肩ベルト調整部を具備するものである。
ここで、乳幼児の身体の反親側にあてがわれる本体部の下部に配設した親の腰に止める腰ベルト部は、本体部の位置決めを行うと共に、乳幼児を受ける乳幼児把持部の機能をアシストするものである。また、前記本体部の上部に配設された左右の肩ベルト部は、その下端を前記本体部の下端または前記本体部の側面に接続されたものである。そして、上記肩ベルト調整部は、前記肩ベルト部相互間の距離を調整するものであり、親の背中の右寄りまたは左寄りまたは中央に接続部を持っていくことになる。
【００１１】
請求項５の発明にかかるベビーキャリアは、更に、乳幼児の身体の反親側にあてがわれる本体部の上部から下部に左右の肩ベルト部及び前記肩ベルト部相互間の距離を調整する肩ベルト調整部を具備するものである。
ここで、乳幼児の身体の反親側にあてがわれる本体部の上部から下部に左右の肩ベルト部は、本体部の位置決めを行うと共に、乳幼児を受ける乳幼児把持部の機能をアシストするものである。また、前記本体部の上部に配設された左右の肩ベルト部は、その下端を前記本体部の下端に接続されたものである。そして、上記肩ベルト調整部は、前記肩ベルト部相互間の距離を調整するものであり、親の背中の右寄りまたは左寄りまたは中央に接続部を持っていくことになる。
【００１２】
請求項６の発明にかかるベビーキャリアの前記乳幼児把持部は、その左右両側から乳幼児の脚を出し、前記固定ベルト部で前記乳幼児の胴体を保持するものである。
ここで、前記乳幼児把持部の左右両側から乳幼児の脚を出し、臀部を保持し、前記固定ベルト部で前記乳幼児の胴体を保持できるものであればよい。勿論、乳幼児の脚用の開口を形成したものであってもよい。また、前記乳幼児の胴体を保持する前記固定ベルト部は、前記胴体が横に倒れないように保持できるものであればよい。
【００１３】
請求項７の発明にかかるベビーキャリアの前記乳幼児把持部は、その左右両側から乳幼児の脚を出し、前記固定ベルト部で前記乳幼児の肩を保持するものである。
ここで、前記乳幼児把持部の左右両側から乳幼児の脚を出し、臀部を保持し、前記固定ベルト部で前記乳幼児の胴体を保持できるものであればよい。勿論、乳幼児の脚用の開口を形成したものであってもよい。また、前記固定ベルト部で前記乳幼児の肩を保持するものとは、前記乳幼児把持部の上部から乳幼児の肩を保持するように架設してもよいし、頸部から下を保持する構成としてもよい。
【００１４】
請求項８の発明にかかるベビーキャリアの前記乳幼児把持部は、前記本体部の下部に取付けられ、その自由端が上方に延びているものである。
ここで、前記本体部の下部に取付けられ、その自由端が上方に延びているものとは、前記本体部の下端を意味するものではなく、前記本体部の上下方向の１／２以下の位置を意味する。
【００１５】
請求項９の発明にかかるベビーキャリアの前記乳幼児把持部は、前記本体部に取付けられ、その自由端が上方及び下方に延びているものである。
ここで、前記本体部に取付けられ、その自由端が上方及び下方に延びているものとは、前記乳幼児把持部の前記本体部への取付け位置が上端にないことを特定するものであり、前記本体部の上下方向の中央よりも上で取付けることもできる。
【発明の効果】
【００１６】
請求項１の発明のベビーキャリアは、乳幼児の身体の反親側にあてがわれる本体部に取付けられる一方の表生地と前記表生地に対向する裏生地及び前記表生地と前記裏生地との間に形成された特定の厚みを有する通気性のある空気層からなる立体編物で形成した乳幼児把持部と、前記本体部の親側の位置で、前記本体部と前記乳幼児把持部との間隔を調節自在な固定ベルト部とを具備するものである。
したがって、乳幼児は前記本体部と前記乳幼児把持部に挟まれ、その移動は固定ベルト部で拘束されるが、その乳幼児把持部側は通気性のよい材料で形成されているから、乳幼児の少なくとも身体の一面の通気性がよくなる。特に、親の動きや乳幼児の動きによって、前記乳幼児把持部が変形し、空気層の空気が排出及び供給されるから長時間の使用に対しても蒸れやジトジト感がなくなり、部分的に異常に体温が上昇するということもなく、清涼感、爽快感が得られる。また、本体部の内面に立体編物からなる乳幼児把持部と同様の生地で、特定の厚みのものを設けると、乳幼児の身体の全周が異常に保温されることがなくなり、清涼感、爽快感が増すことになる。
そして、ベビーキャリアの本体部側に乳幼児が配置されて、そこで位置決めされることから、ベビーキャリアの使用が本体部側の使用となり、乳幼児と一体感があるから抱っこやおんぶの際の取り扱いが熟練者でなくとも容易になる。
【００１７】
請求項２の発明のベビーキャリアの本体部は、親側の面の一部または全部を、一方の表生地と前記表生地に対向する裏生地及び前記表生地と前記裏生地との間に形成された特定の厚みを有する通気性のある空気層からなる立体編物で形成したものであるから、請求項１に記載の効果に加えて、乳幼児は前記本体部と前記乳幼児把持部に挟まれることになり、その立体編物からなる乳幼児把持部側を取り巻く範囲は、通気性がよいから乳幼児の少なくとも身体の周囲に新鮮な空気が供給され、異常な保温状態に至らない。また、見た目にも清涼感、爽快感が出る。
【００１８】
請求項３の発明のベビーキャリアの前記本体部の立体編物は、一方の表生地と前記表生地に対向する裏生地及び前記表生地と前記裏生地との間に織り込まれ、両者間の空気層の厚みを形成する連結糸からなる特定の厚みを有するものであるから、請求項１または請求項２に記載の効果に加えて、ダブルラッシェル機等で簡単に編んで立体編物を得ることができるから廉価にできる。
【００１９】
請求項４の発明のベビーキャリアは、更に、乳幼児の身体の反親側にあてがわれる本体部の下部には、親の腰に止める腰ベルト部並びに前記本体部の上部に配設された左右の肩ベルト部及び前記肩ベルト部相互間の距離を調整する肩ベルト調整部を具備するものであるから、請求項１乃至請求項３のいずれか１つの効果に加えて、親の腰に止める腰ベルト部を止めてから、左右の肩ベルト部を止めてもよいし、逆に、左右の肩ベルト部を止めてから、親の腰に止める腰ベルト部を止めてもよいので、使い勝手がよい。また、肩の凝る人には、肩の負担を軽減できる。
【００２０】
請求項５の発明のベビーキャリアは、更に、乳幼児の身体の反親側にあてがわれる本体部の上部から下部に左右の肩ベルト部及び前記肩ベルト部相互間の距離を調整する肩ベルト調整部を具備するものであるから、請求項１乃至請求項３のいずれか１つの効果に加えて、左右の肩ベルト部のみで乳幼児を抱いたり、おんぶしたりすることができる。
【００２１】
請求項６の発明のベビーキャリアの前記乳幼児把持部は、その左右両側から乳幼児の脚を出し、前記固定ベルト部で前記乳幼児の胴体を保持するものであるから、請求項１乃至請求項５のいずれか１つに記載の効果に加えて、前記乳幼児の胴体を保持することによって乳幼児が倒れ難くするものであるから、安定した抱っこやおんぶができる。
【００２２】
請求項７の発明のベビーキャリアの前記乳幼児把持部は、その左右両側から乳幼児の脚を出し、前記固定ベルト部で前記乳幼児の肩を保持するものであるから、請求項１乃至請求項５のいずれか１つに記載の効果に加えて、乳幼児を寝かせる横抱き抱っこしたときでも安定な状態が維持できる。
【００２３】
請求項８の発明にかかるベビーキャリアの前記乳幼児把持部は、前記本体部の下部に取付けられ、その自由端が上方に延びているものであるから、請求項１乃至請求項７のいずれか１つに記載の効果に加えて、乳幼児の臀部の位置から重心位置が定まり、乳幼児を抱いたり、おんぶしたりすることに無理がなくなる。
【００２４】
請求項９の発明にかかるベビーキャリアの前記乳幼児把持部は、前記本体部に取付けられ、その自由端が上方及び下方に延びているものであるから、請求項１乃至請求項７のいずれか１つに記載の効果に加えて、乳幼児の窮屈感を開放することができる。
【図面の簡単な説明】
【００２５】
【図１】図１は本発明の各実施の形態にかかるベビーキャリアの一部を構成する織布本体の説明図である。
【図２】図２は本発明の実施の形態１にかかるベビーキャリアの全体の展開を示す全体説明図である。
【図３】図３は本発明の実施の形態１にかかるベビーキャリアの全体の使用する直前の展開を示す全体説明図である。
【図４】図４は本発明の実施の形態１にかかるベビーキャリアの乳幼児把持部の全体の正面図である。
【図５】図５は本発明の実施の形態１にかかるベビーキャリアの使用状態を示す斜視図である。
【図６】図６は本発明の実施の形態２にかかるベビーキャリアの全体の展開を示す全体説明図である。
【図７】図７は本発明の実施の形態３にかかるベビーキャリアの全体の展開を示す全体説明図である。
【図８】図８は本発明の実施の形態４にかかるベビーキャリアの全体の使用する直前の展開を示す全体説明図である。
【図９】図９は本発明の実施の形態４にかかるベビーキャリアの乳幼児把持部の全体の正面図(ａ)とその取付け状態を説明する要部説明図(ｂ)である。
【図１０】図１０は本発明の実施の形態５にかかるベビーキャリアの全体の使用する直前の展開を示す全体説明図である。
【発明を実施するための形態】
【００２６】
［実施の形態１］
以下、本発明の実施の形態について、図１乃至図５を用いて説明する。なお、図中、各実施の形態において同一記号及び同一符号は、同一または相当する部分であるから、ここでは重複する説明を省略する。
【００２７】
図２及び図３に示すように、本実施の形態１にかかるベビーキャリアにおいて、乳幼児を抱っこしたりおんぶしたりしたとき、乳幼児の身体に対し親側の反対側、即ち、乳幼児の外側にあてがわれるベビーキャリアの本体部１０は、乳幼児の身体の反親側にあてがわれるものであり、図示しない公知の芯材の周囲に緩衝材及び弾性材を配設し、その表面をデザイン的に処理してなるものである。
【００２８】
本体部１０の下部に縫い付けられた腰ベルト部２０は、母親等の親の腰に巻いて、その端部に配設されている連結差込具２１及び連結受具２２を連結係合させることによって、親の腰回りに固定され、人為的に連結差込具２１と連結受具２２との連結係合を解かないかぎり外れなくなっている。したがって、腰ベルト部２０のベルト２３は、可撓性があり、本体部１０の下部で乳幼児の体重の多くを保持するので、強度的に耐えられるものであり、かつ、力（乳幼児の体重）の分散が行われる形態として形成されている。
【００２９】
乳幼児把持部３０は、本体部１０の下部に取付けられ、自由端が上方に延び開口され、その表生地と裏生地との間に特定の厚みの空気層を形成してなる立体編物（ダブルラッシェル）からなる。
【００３０】
この立体編物は、図１に示すように、所定の厚みを有する織布製造機としてのダブルラッシェル機によって織った織布本体１は、片面が所定の開口の網目の表生地２で、反対側の面も所定の開口の網目の裏生地３である。織布本体１の端面に見える連結糸４は、表生地２と裏生地３との厚みの間隔を設定する。本実施の形態にかかる対向するフロント側に位置する表生地２またはバック側に位置する裏生地３は、必要に応じて任意に網目、網模様が決定できる。なお、ここで、表生地２、裏生地３とは、説明を平易にするものであり、前側が表生地２、後側が裏生地３に特定されるものではない。
【００３１】
なお、本実施の形態にかかる特定の厚みを有する織布本体１の製造には織布製造機としてのダブルラッシェル機を利用しているが、トリコット機でも実施可能である。また、既成の織機においても、その改良により実現できる。特に、本実施の形態の内容は、特許文献の特開２００１−１２３３６１号公報、特開２００３−０１３３４６号公報、特開２００３−１７１８５８号公報、特開２００５−２４９０号公報等で説明されているように、織布製造機の市販によって当業者にとって周知になっている。また、立体編物の商品も特許第３９４３０１１号、特許第４００１８９０号等に基づき旭化成株式会社から「フュージョン（商標名）」、また、帝人興産から「エアクィーン（商標名）」等として販売されているので、ここでは仔細な説明を省略する。
【００３２】
なお、図４に示す本実施の形態１における乳幼児把持部３０は、図２及び図３に示すように、本体部１０の下部に取付けられ、自由端が上方に延びて開口し、図１に示すように、一方の表生地２と表生地２に対向する反対側に位置する他方の裏生地３と、表生地２と裏生地３との間に織り込まれ、両者間の空気層の厚みを形成する連結糸４からなる特定の厚みを有する立体編物からなる旨説明したが、本発明を実施する場合には、本体部１０の下部に直接縫い付けるか、固着具で固着等により取付けられ、上方に開口されるように延び、表生地２と裏生地３との間に形成された特定の厚みを有する通気性のある空気層からなる立体編物であればよい。
【００３３】
即ち、本発明を実施する場合の乳幼児把持部３０は、表生地２と裏生地３との間に形成された特定の厚みを有する通気性のある空気層からなる立体編物であればよく、当該空気層は閉じられた空間ではなく通気性によって、当該空気層の空気の入れ替えが容易である構造を前提とするものであればよいことから、表生地２及び／または裏生地３の一部または全部の繊維密度を高くしてもよいし、それらの一面または両面を通気性のある他の布で覆ってもよい。
【００３４】
本実施の形態の乳幼児把持部３０は、図４に示すように、上部が幅広の全体略台形の角を面取りした形状に織布本体１が裁断されている。その上下の長さは、平均的な幼児の胴体の長さ程度に形成され、幅は平均的な幼児の胴体の幅よりも若干幅狭く形成されている。特に、下の２か所の角３１，３２は単純にＲ（半径）２〜１０ｃｍで面取りしており、また、上の２か所の角３３，３４はそれよりも大きなＲ（半径）５〜１０ｃｍで面取りしている。
【００３５】
また、乳幼児把持部３０の上方の２か所の角３３と角３４の間は、その上部中央が下方向に彎曲した彎曲部３５を有している。即ち、本実施の形態のベビーキャリアに乳幼児把持部３０を取り付けても乳幼児の頸部に乳幼児把持部３０の上端部が接触しないようにしている。この実施の形態では、乳幼児把持部３０の上方の上部中央が下方向に彎曲した彎曲部３５は、弧状となっているが、略Ｖ字状または略Ｕ字状とすることができる。
【００３６】
そして、本実施の形態１の乳幼児把持部３０は、その把持部本体３６の全外周をパイピング処理によって、縫い付けたものである。このパイピング３７は、乳幼児把持部３０の全周をパイピング処理によって縫い付けて、その把持部本体３６のほつれを防止すると共に、把持部本体３７の表生地２及び裏生地３及び連結糸４との一体感を得て、把持部本体３６の機械的強度を上げている。なお、乳幼児把持部３０に対して肌触りのよい生地を同時にパイピング処理することによって、肌触りのよい生地との間も一体感を持たせることができる。
【００３７】
更に、乳幼児把持部３０の上部には、パイピング３７に重ねるように比較的強靭な長方形状の布またはパイピング３７と同一の長方形状の布３９の上端と下端を縫い付けることによって、ベルト掛けを形成してなるベルト挿通孔３８が形成されている。パイピング３７と同一の長方形状の布３９は、パイピング３７の上に重ね縫いをすることによって機械的強度のある縫製としている。なお、本実施の形態では、乳幼児把持部３０に対してパイピング処理したパイピング３７に直接当該布３９を縫い付けてベルト挿通孔３８を形成しているが、当該布３９に大きな外力が加わらないので、そこに通す後述する固定ベルト部７０が分離され方法であれば採用できる。
【００３８】
そして、乳幼児把持部３０の下端のパイピング３７に対して、比較的強靭な可撓性生地６０が縫い付けられている。可撓性生地６０には、複数のバネホック６１,６２が配設されており、複数のバネホック６１,６２によって本体部１０に対して堅固に乳幼児把持部３０の取付けが容易になっている。本実施の形態のバネホック６１,６２は省略し、直接、本体部１０に可撓性生地６０を縫い付けてもよい。なお、本実施の形態では、本体部１０の下端部に直接縫い付けられた腰ベルト部２０によって、乳幼児の体重が支えられるので、全体重がバネホック６１,６２に加わるものではないから、簡易な固着方法を採用できる。
本実施の形態で乳幼児把持部３０が取り外し可能なようにバネホック６１,６２で取付けているのは、常に、清潔感を保てるように乳幼児把持部３０の洗濯が可能としたものである。
【００３９】
本発明の実施の形態１において、本体部１０の上部左右には、左右の肩ベルト部４０及び肩ベルト部４０相互間の距離を調整する肩ベルト調整部５０が配設されている。
左右の肩ベルト部４０は、左肩に掛ける左肩ベルト部４１とその端部に連結差込具４３を取り付けた調節ベルト４５と、右肩に掛ける右肩ベルト部４２と端部に連結差込具４４を取り付けた調節ベルト４６とからなる。連結差込具４３は本体部１０側に取り付けた図示しない連結受具に接続され、連結差込具４４は本体部１０側に取り付けた図示しない連結受具に接続されている。また、調節ベルト４５及び調節ベルト４６は、その長さを調節できるアジャスタが配設されている。
【００４０】
また、左肩ベルト部４１及び右肩ベルト部４２には、両者間の間隔を調整保持する肩ベルト調整部５０が設けられている。この肩ベルト調整部５０は左肩ベルト調整部５１及び右肩ベルト調整部５２からなり、詳しくは、端部に連結差込具５３を取り付けた左肩ベルト調整部５１と、端部に連結受具５４を取り付けた右肩ベルト調整部５２とからなる。連結差込具５３は連結受具５４に接続され、左肩ベルト調整部５１と右肩ベルト調整部５２との長さが調節できるアジャスタが配設されている。
【００４１】
左肩ベルト調整部５１と右肩ベルト調整部５２は、各左肩ベルト部４１と右肩ベルト部４２とに平行して配設されているスライドベルト５５またはスライドベルト５６を摺動自在とし、肩ベルト調整部５０の位置が移動自在となっている。
したがって、各左肩ベルト部４１と右肩ベルト部４２を肩に掛けた状態で、連結差込具５３と連結受具５４が接続されると、左肩ベルト調整部５１と右肩ベルト調整部５２との長さによって、左肩ベルト部４１または右肩ベルト部４２が掛けた肩から外れることがない。
【００４２】
更に、乳幼児把持部３０のパイピング３７に重ねるように比較的な強靭な長方形状の布またはパイピング３７と同一の長方形状の布３９の上端と下端を縫い付けることによって形成したベルト挿通孔３８に通す固定ベルト部７０は、両端に連結差込具７１及び連結差込具７２が接続されており、本体部１０側に取り付けた図示しない連結受具に接続自在になっている。
【００４３】
本実施の形態１のベビーキャリアは、図５に示すように、乳幼児の身体の反親側にあてがわれる本体部１０と、本体部１０の下部にバネホック６１,６２で取付けられ、自由端が上方に延び、一方の表生地２と表生地２に対向する反対側に位置する他方の裏生地３及び表生地２と裏生地３との間に形成された特定の厚みを有する通気性のある空気層からなる立体編物で形成した乳幼児把持部３０と、本体部１０の親側の位置で、本体部１０と乳幼児把持部３０との間隔を調節自在とし、乳幼児の身体を固定する固定ベルト部７０とを具備するものである。
【００４４】
したがって、乳幼児は本体部１０と乳幼児把持部３０に挟まれ、その移動は固定ベルト部７０で拘束されるが、その乳幼児把持部３０側は通気性のよい材料で形成され、乳幼児の少なくとも身体の一面が異常に温度が上昇するということがなくなる。特に、親の動きや乳幼児の動きに伴って乳幼児把持部３０が変形し、空気層の空気が排出及び供給されるから長時間の使用に対しても蒸れやジトジト感がなくなり、部分的に体温が上昇するということもなく、清涼感、爽快感が得られる。また、本体部１０の内面に立体編物からなる乳幼児把持部３０と同様の生地で、特定の厚みのものを設けると、乳幼児の身体の全周が異常状態で保温されることがなくなり、清涼感、爽快感が増すことになる。
【００４５】
殊に、本体部１０の立体編物は、一方の表生地２と表生地２に対向する裏生地３及び表生地２と裏生地３との間に織り込まれ、両者間の空気層の厚みを形成する連結糸４からなる特定の厚みを有するものであるから、ダブルラッシェル機等で簡単に編んで立体編物を得ることができるから廉価にできる。
【００４６】
また、本実施の形態１のベビーキャリアは、乳幼児の身体の反親側にあてがわれる本体部１０の下部には、親の腰に止める腰ベルト部２０並びに本体部１０の上部に配設された左右の肩ベルト部４０及び肩ベルト部４０相互間の距離を調整する肩ベルト調整部５０を具備するものであるから、親の腰に止める腰ベルト部２０を止めてから、左右の肩ベルト部４０を止めてもよいし、逆に、左右の肩ベルト部４０を止めてから、親の腰に止める腰ベルト部２０を止めてもよいので、使い勝手がよい。また、肩の凝る人には、肩の負担を軽減できる。このように、ベビーキャリアの本体部１０側に乳幼児が配置されて、そこで位置決めされることから、ベビーキャリアの使用が本体部１０側の使用となり、乳幼児と一体感があるから抱っこやおんぶの際の取り扱いが熟練者でなくとも容易になる。
そして、乳幼児把持部３０は、その左右両側から乳幼児の脚を出し、固定ベルト部７０で乳幼児の胴体を保持するものであるから、乳幼児の胴体を保持することによって乳幼児が倒れ難くなるから、安定した抱っこやおんぶができる。
【００４７】
上記実施の形態１のベビーキャリアの乳幼児把持部３０は、その左右両側から乳幼児の脚を出し、固定ベルト部７０で乳幼児の胴体を保持するものであるから、乳幼児の胴体を保持することによって乳幼児が倒れ難くするものであるから、安定した抱っこやおんぶができる。しかし、本発明を実施する場合には、その左右両側から乳幼児の脚を出し、固定ベルト部７０で乳幼児の肩を保持する構成とすることもできる。特に、乳幼児を寝かせる横抱き抱っこしたときでも安定な状態が維持できることを重要視する場合に好適な構造となる。
【００４８】
［実施の形態２］
次に、図６を用いて、本発明の実施の形態２について説明する。
実施の形態１との相違点は、実施の形態１の本体部１０及び肩ベルト部４０の親側の面、即ち、乳幼児を取り巻く内面側の全内面１０Ａの材料を、乳幼児把持部３０と同様の表生地２と裏生地３との間に形成された特定の厚みを有する通気性のある空気層からなる立体編物、または、一方の表生地２と対向する裏生地３と、表生地２と裏生地３との間に織り込まれ、両者間の通気性のある空気層の厚みを形成する連結糸４からなる特定の厚みを有する立体編物としたものである。
【００４９】
この実施の形態では、本体部１０の親側の面によって、乳幼児を取り巻く本体部１０の全内面１０Ａ側が、通気性のある空気層を持つことになる。
殊に、乳幼児把持部３０として、一方に位置する表生地２とは、通常、所定のハニカム状のネットの生地を使用し、表生地２に対向する反対側に位置する他方に位置する裏生地３も、同様に、所定のハニカム状のネットの生地が使用している。この表生地２と裏生地３は同じネットの大きさであっても、一方のみが異なっていてもよい。或いは、表生地２及び／または裏生地３はネットに代えて、多少織目の粗い、即ち、密度の高くない生地としてもよい。また、表生地２と裏生地３との間に織り込まれ、両者間の空気層の厚みを形成する連結糸４は、表生地２と裏生地３との間に通気性のある空気層とする空間を形成する糸であり、譬え、空間が変形しても、空間が回復する弾性を有する糸であればよい。勿論、通常状態で、連結糸４が彎曲しており、外力によってその彎曲の曲率が変化するようにするのが望ましい。そして、織布本体１のこれら表生地２と裏生地３及び連結糸４は、その糸の数及び糸種、色彩を特別限定するものではない。
【００５０】
したがって、乳幼児は図５に示すように、本体部１０の全内面１０Ａと乳幼児把持部３０に挟まれることになり、その乳幼児把持部３０及び本体部１０の全内面１０Ａ側は通気性のよい材料で形成されているから、乳幼児の少なくとも身体の一面が特定の個所の体温が部分的に上昇することがなくなる。また、ベビーキャリアの本体部１０側に乳幼児が配置されて、そこで位置決めされるから、ベビーキャリアの使い方が本体部１０側の使い方となり、乳幼児と一体感があるから抱っこやおんぶの際の取り扱いが熟練者でなくとも容易になる。特に、本体部１０の全内面１０Ａに立体編物からなる乳幼児把持部３０と同様の生地で、特定の厚みを有すると、乳幼児の身体の全周が異常に保温されることがなくなり、清涼感、爽快感を得ることができる。
【００５１】
また、肩ベルト部４０の親側の肩の触れる内面４０Ａ側にも、乳幼児把持部３０と同様の表生地２と裏生地３との間に形成された特定の厚みを有する通気性のある空気層からなる立体編物、または、一方の表生地２と表生地２に対向する反対側に位置する他方の裏生地３と、表生地２と裏生地３との間に織り込まれ、両者間の通気性のある空気層の厚みを形成する連結糸４からなる特定の厚みを有する立体編物としたものである。
したがって、親の肩の内面４０Ａにおいても異常に温度が上昇することなく、清涼感、爽快感を得ることができる。
【００５２】
［実施の形態３］
実施の形態１及び実施の形態２は、腰ベルト部２０を具備するものであるが、図７に示すように、腰ベルト部２０を有しないベビーキャリアに対しても適用できる。
即ち、乳幼児の身体の反親側にあてがわれる本体部１０の上部から下部に左右の肩ベルト部４０及び肩ベルト部４０相互間の距離を調整する肩ベルト調整部５０を具備するが、左右の肩ベルト部４０のみで乳幼児を抱いたり、おんぶしたりすることができる。
【００５３】
図７は実施の形態３を示すものである。本体部１０の上部左右には、左右の肩ベルト部４０及び肩ベルト部４０相互間の距離を調整する肩ベルト調整部５０が配設されている。
左右の肩ベルト部４０は、左肩に掛ける左肩ベルト部４１とその端部に連結具４８を取り付けた調節ベルト４５Ａと、右肩に掛ける右肩ベルト部４２と端部に連結具４９を取り付けた調節ベルト４６Ａとからなる。調節ベルト４５Ａ及び調節ベルト４６Ａの他端は、本体部１０の下部中央に縫い付けられている。連結具４８は左肩ベルト部４１と調節ベルト４５Ａを接続または分離するもので、連結具４９は右肩ベルト部４２と調節ベルト４６Ａを接続または分離するものである。また、調節ベルト４５Ａ及び調節ベルト４６Ａには、その長さを調節できるアジャスタが配設されている。
【００５４】
また、左肩ベルト部４１及び右肩ベルト部４２には、両者間の間隔を調整保持する肩ベルト調整部５０が設けられている。この肩ベルト調整部５０は左肩ベルト調整部５１及び右肩ベルト調整部５２からなり、詳しくは、端部に連結差込具５３を取り付けた左肩ベルト調整部５１と、端部に連結受具５４を取り付けた右肩ベルト調整部５２とからなる。連結差込具５３は連結受具５４に接続され、左肩ベルト調整部５１と右肩ベルト調整部５２との長さが調節できるアジャスタが配設されている。
【００５５】
左肩ベルト調整部５１と右肩ベルト調整部５２は、各左肩ベルト部４１と右肩ベルト部４２とに並行して配設されているスライドベルト５５またはスライドベルト５６を摺動自在とし、肩ベルト調整部５０の位置が移動自在となっている。
したがって、各左肩ベルト部４１と右肩ベルト部４２を肩に掛けた状態で、連結差込具５３と連結受具５４が接続されると、左肩ベルト調整部５１と右肩ベルト調整部５２との長さによって、左肩ベルト部４１または右肩ベルト部４２が掛けた肩から外れることがない。
【００５６】
即ち、本実施の形態３においても、実施の形態１及び実施の形態２と同様の作用効果を奏することができ、かつ、乳幼児の身体の反親側にあてがわれる本体部１０の上部から下部に左右の肩ベルト部４０及び肩ベルト部４０相互間の距離を調整する肩ベルト調整部５０を具備するものであるから、左右の肩ベルト部４０のみで乳幼児を抱いたり、おんぶしたりすることができる。
【００５７】
このように、本実施の形態のベビーキャリアは、乳幼児の身体の反親側にあてがわれる本体部１０と、本体部１０の下部に取付けられ、上方に延び、一方の表生地２と表生地２に対向する反対側に位置する他方の裏生地３と、表生地２と裏生地３との間に形成された特定の厚みを有する通気性のある空気層からなる乳幼児把持部３０と、本体部１０の親側の位置で、本体部１０と乳幼児把持部３０との間隔を調節自在とし、乳幼児の身体を固定する固定ベルト部７０とを具備するものである。
【００５８】
したがって、乳幼児は本体部１０と乳幼児把持部３０に挟まれることになり、その乳幼児把持部３０側は通気性のよい材料で形成されているから、乳幼児の少なくとも身体の一面が異常に保温されることがなくなる。また、ベビーキャリアの本体部１０側に乳幼児が配置されて、そこで位置決めされるから、ベビーキャリアの使用が本体部１０側の使用となり、乳幼児と一体感があるから抱っこやおんぶの際の取り扱いが熟練者でなくとも容易になる。
また、本体部１０の内面に立体編物からなる乳幼児把持部３０と同様の生地で、特定の厚みを有すると、乳幼児の身体の全周が異常に保温されることがなくなる。
【００５９】
乳幼児把持部３０は、本体部１０の下部に取付けられ、上方に延び、一方の表生地２と表生地２に対向する反対側に位置する他方の裏生地３と、表生地２と裏生地３との間に織り込まれ、両者間の空気層の厚みを形成する連結糸４からなる特定の厚みを有する立体編物からなる。
したがって、乳幼児は本体部１０と乳幼児把持部３０に挟まれることになり、その立体編物からなる乳幼児把持部３０側は、通気性のよい材料で形成されているから、乳幼児の少なくとも身体の一面が異常に保温されることがなくなる。また、ベビーキャリアの本体部側に乳幼児が配置されて、そこで位置決めされるから、ベビーキャリアの使用が本体部１０側の使用となり、乳幼児と一体感があるから抱っこやおんぶの際の取り扱いが熟練者でなくとも容易になる。
【００６０】
また、本体部１０は、乳幼児の身体の親側にあてがわれる面の一部または全部を、一方の表生地２と表生地２に対向する反対側に位置する他方の裏生地３と、表生地２と裏生地３との間に形成された特定の厚みを有する通気性のある空気層からなる立体編物としたものである。
本体部１０の内面に立体編物からなる乳幼児把持部３０と同様の生地で、特定の厚みを有するから、乳幼児の身体の全周が異常に保温されることがなくなる。特に、乳幼児または親が動くと、親と乳幼児との間及び乳幼児と本体部との間に空気の流れが生じ、譬え暑くても蒸れることがなくなり、爽快感が得られる。
【００６１】
更に、乳幼児の身体の反親側にあてがわれる本体部１０の下部には、本体部１０の親側の位置で本体部１０と乳幼児把持部３０との間隔を調節自在とし、乳幼児の身体を固定する固定ベルト部７０を有し、また、親の肩に止める左肩ベルト部４１と調節ベルト４５Ａ及び右肩ベルト部４２と調節ベルト４６Ａと、左肩ベルト部４１と右肩ベルト部４２からなる肩ベルト部４０相互間の距離を調整する肩ベルト調整部５０を具備している。
したがって、本体部１０と乳幼児把持部３０との間隔に乳幼児を配置し、固定ベルト部７０で乳幼児の身体を固定し、次に、左肩ベルト部４１と調節ベルト４５Ａ及び右肩ベルト部４２と調節ベルト４６Ａを親の肩に止め、そして、左肩ベルト部４１と調節ベルト４５Ａ及び右肩ベルト部４２と調節ベルト４６Ａを肩に掛けた状態で連結差込具５３と連結受具５４が接続されると、左肩ベルト調整部５１と右肩ベルト調整部５２との長さによって、左肩ベルト部４１または右肩ベルト部４２が掛けた肩から外れることがないので、使い勝手がよい。
【００６２】
［実施の形態４］
次に、図８及び図９を用いて、本発明の実施の形態４について説明する。
実施の形態１乃至実施の形態３においては、乳幼児把持部３０の下端部を本体部１０の下部に縫い付けるか、バネホック６１,６２で取付ける事例を説明した。しかし、本発明を実施する場合には、ベルト挿通孔３８に通す固定ベルト部７０のみを乳幼児把持部３０Ａを本体部１０に取付ける手段とすることもできる。
【００６３】
即ち、ベルト挿通孔３８に通す固定ベルト部７０のみで乳幼児把持部３０Ａを本体部１０に取付けても、乳幼児の臀部は親の腰に止める腰ベルト部２０で止まり、または、図７の実施の形態では調節ベルト４５Ａ及び調節ベルト４６Ａの下端で止まるので、乳幼児の身体の位置は固定ベルト部７０で定まり、乳幼児の体勢の安定性を欠くことはない。
特に、本実施の形態では、乳幼児把持部３０Ａは、本体部１０に取付けられる固定ベルト部７０の上下の自由端が上方及び下方に延びているものであるから、乳幼児の窮屈感を開放することができる。特に、抱っこに使用する形態に適している。
【００６４】
図８に示すベルト挿通孔３８に通す固定ベルト部７０のみで乳幼児把持部３０Ａを本体部１０に取付ける場合には、固定ベルト部７０を洗濯の際に、または乳幼児を取り上げた際等に紛失する可能性がある。そこで、図９に示す実施の形態では、固定ベルト部７０の中央部付近を乳幼児把持部３０Ｂの把持部本体３６に直接縫付けている。この場合、固定ベルト部７０を乳幼児把持部３０Ｂの把持部本体３６に縫付けると共に、固定ベルト部７０は両側のパイピング３７に至る範囲の縫製が強度的に望ましい。
なお、固定ベルト部７０の両端には、連結差込具または連結受具の何れかが連結具７１,７２として接続されている。
【００６５】
［実施の形態５］
次に、図１０を用いて、本発明の実施の形態５について説明する。
図３に示す実施の形態１では、乳幼児把持部３０を乳幼児の前面から後面にかけてＵ字状に配置する事例を説明した。このように使用する場合でも、図８に示すベルト挿通孔３８に通す固定ベルト部７０のみで乳幼児把持部３０Ｃを本体部１０に取付けることができる。また、固定ベルト部７０を洗濯の際等に紛失する可能性をなくすために、図９に示す実施の形態４のように、固定ベルト部７０の中央部付近を乳幼児把持部３０Ｃに直接縫い付けて使用することもできる。この場合にも、乳幼児把持部３０Ｃの把持部本体３６に固定ベルト部７０を縫い付けるとよい。特に、固定ベルト部７０は両側のパイピング３７に至る範囲の縫製が望ましい。
【００６６】
本発明の実施の形態５では、特に、乳幼児の脚が左右に出やすいように、切り欠き３０ａ、３０ｂを設けている。したがって、乳幼児の身長等によって、またはおむつ等の使用状態によって、乳幼児把持部３０Ｃを任意に選択使用できる。
【００６７】
［実施の形態のまとめ］
上記各実施の形態のベビーキャリアは、乳幼児の身体の反親側にあてがわれる本体部１０と、本体部１０の下部に可撓性生地６０を介して取付けられ、その自由端が上方に延び、一方の表生地２と対向する反対側に位置する裏生地３及び表生地２と裏生地３との間に形成された特定の厚みを有する通気性のある空気層からなる立体編物で形成した乳幼児把持部３０，３０Ａ，３０Ｂ，３０Ｃと、本体部１０の親側の位置で、本体部１０と乳幼児把持部３０，３０Ａ，３０Ｂ，３０Ｃとの間隔を調節自在とし、乳幼児の身体を固定する固定ベルト部７０とを具備するものである。
【００６８】
したがって、乳幼児は本体部１０と乳幼児把持部３０，３０Ａ，３０Ｂ，３０Ｃに挟まれ、その移動は固定ベルト部７０で拘束され、その乳幼児把持部３０，３０Ａ，３０Ｂ，３０Ｃ側は通気性のよい材料で形成されるから、乳幼児の少なくとも身体の一面が異常状態で保温されることがなくなる。特に、親の動きや乳幼児の動きによって、乳幼児把持部３０，３０Ａ，３０Ｂ，３０Ｃが変形し、空気層の空気が排出及び供給されるから長時間の使用に対しても蒸れやジトジト感がなくなり、部分的に異常に体温が上昇するということもなく、清涼感、爽快感が得られる。また、本体部１０の内面に立体編物からなる乳幼児把持部３０と同様の生地で、特定の厚みのものを設けると、乳幼児の身体の全周が異常に保温されることがなくなり、清涼感、爽快感がますことになる。
【００６９】
そして、ベビーキャリアの本体部１０側に乳幼児が配置されて、そこで位置決めされることから、ベビーキャリアの使用が本体部１０側の使用となり、乳幼児と一体感があるから抱っこやおんぶの際の取り扱いが熟練者でなくとも容易になる。
ここで、上記乳幼児の身体の反親側にあてがわれる本体部１０は、乳幼児の後頭部から背中、臀部までを支持する適当な弾性及び可撓性を有する材料からなる乳幼児を保護する部材である。
【００７０】
また、乳幼児把持部３０，３０Ａ，３０Ｂ，３０Ｃは、本体部１０の下部に分離自在または縫付けにより取付けられ、かつ、上方に自由端が延び、表生地２と裏生地３の間に織り込まれた空気層の厚みを形成する特定の厚みを有するものであり、その面に平行する方向の伸縮が小さくて、厚み方向の変化が大きい材料である。
そして、固定ベルト部７０は、本体部１０の親側の位置で、本体部１０と乳幼児把持部３０との間隔を幼児のサイズに合わせて調節自在とした乳幼児を固定するベルトであり、乳幼児の胸囲に合わせてもよいし、更に、ベルトを上側に延ばして乳幼児の肩側に合わせてもよい。
【００７１】
更に、乳幼児把持部３０，３０Ａ，３０Ｂ，３０Ｃとして、一方に位置する表生地２とは、表生地２と裏生地３との間に織り込まれ、両者間に通気性のある空気層の厚みを形成するものであり、仮に、空間が変形しても、空間が回復する弾性を有するものであればよい。勿論、通常状態で、厚みが外力によって変化するものが望ましい。そして、乳幼児把持部３０のこれら表生地２と裏生地３及び連結糸４は、その糸の数及び糸種、色彩を特別限定するものではない。
【００７２】
また、実施の形態２で示したように本体部１０は、親側の面の一部または全部を、一方の表生地２と表生地２に対向する反対側に位置する他方の裏生地３及び表生地２と裏生地３との間に形成された特定の厚みを有する通気性のある空気層からなる立体編物で形成することができる。
この種の実施の形態では、乳幼児は本体部１０と乳幼児把持部３０，３０Ａ，３０Ｂ，３０Ｃに挟まれることになり、その立体編物からなる乳幼児把持部３０，３０Ａ，３０Ｂ，３０Ｃ側を取り巻く範囲は、通気性がよいから、実施の形態１以上に、乳幼児の少なくとも身体が異常に保温されることがなくなる。また、見た目にも清涼感、爽快感がでる。
【００７３】
なお、本体部１０の乳幼児の身体の親側にあてがわれる面の一部または全部とは、乳幼児の身体に対応した位置の形状よりも広い面積であればよく、デザイン的に決定すればよい。勿論、本体部１０の全面または全内面１０Ａを立体編物としてもよい。また、本体部１０の一部または全部の立体編物の厚みは、乳幼児把持部３０，３０Ａ，３０Ｂ，３０Ｃの厚みよりも厚くしてもよいし、薄くしてもよい。通常、機械的強度を本体部１０に委ねられることから、乳幼児把持部３０，３０Ａ，３０Ｂ，３０Ｃの厚みよりも薄いものの使用が好適である。
【００７４】
そして、各実施の形態で使用した通気性のある空気層からなる立体編物は、表生地２と対向する裏生地３及び表生地２と裏生地３との間に織り込まれ、両者間の空気層の厚みを形成する連結糸４からなる特定の厚みを有するものであるから、ダブルラッシェル機等で簡単に編んで立体編物を得ることができ、廉価に製造できる。
なお、乳幼児把持部３０，３０Ａ，３０Ｂ，３０Ｃを形成する立体編物は、本体部１０の下部に分離自在または縫付け固定により取付けられ、かつ、上方に自由端が延び、表生地２と裏生地３の間に織り込まれた空気層の厚みを形成する連結糸４からなる特定の厚みを有するダブルラッシェル機で編んだ立体編物からなるものであり、その面に平行する方向の伸縮が小さくて、厚み方向の変化が大きい材料であればよい。織布本体１は、表裏が所定のネットで形成されているものであれば、幼児を抱いたり、おんぶしたりする母親の体形、動作に従って空気の出入りを決定する流体抵抗を任意に設定できる。また、表裏のデザインを任意の形状とすることができる。
【００７５】
特に、乳幼児把持部３０，３０Ａ，３０Ｂ，３０Ｃとしての立体編物の表生地２とは、通常所定のハニカム状のネットの生地を使用し、表生地２に対向する裏生地３も、同様に、所定のハニカム状のネットの生地が使用される。この表生地２と裏生地３は同じネットの大きさであっても、一方のみが異なっていてもよい。或いは、表生地２及び／または裏生地３はネットに代えて、多少織目の粗い、即ち、密度の高くない生地としてもよい。また、表生地２と裏生地３との間に織り込まれ、両者間の空気層の厚みを形成する連結糸４は、表生地２と裏生地３との間に空気層とする空間を形成する糸であり、譬え空間が変形しても、空間が回復する弾性を有する糸であればよい。勿論、通常状態で、連結糸４が彎曲しており、外力によってその彎曲の曲率が変化するようにするのが望ましい。そして、織布本体１のこれら表生地２と裏生地３及び連結糸４は、その糸の数及び糸種、色彩を特別限定するものではない。
【００７６】
更に、実施の形態１及び実施の形態２、実施の形態４及び実施の形態５の乳幼児の身体の反親側にあてがわれる本体部１０の下部には、親の腰に止める腰ベルト部２０並びに本体部１０の上部に配設された左右の肩ベルト部４０及び肩ベルト部４０相互間の距離を調整する肩ベルト調整部５０を具備するものである。
親の腰に止める腰ベルト部２０を止めてから、左右の肩ベルト部４０を止めてもよいし、逆に、左右の肩ベルト部４０を止めてから、親の腰に止める腰ベルト部２０を止めてもよいので、使い勝手がよい。また、肩の凝る人には、肩の負担を軽減できる。
なお、乳幼児の身体の反親側にあてがわれる本体部１０の下部に配設した親の腰に止める腰ベルト部２０は、本体部１０の位置決めを行うと共に、乳幼児を受ける乳幼児把持部３０，３０Ａ，３０Ｂ，３０Ｃの機能をアシストするものである。また、本体部１０の上部に配設された左右の肩ベルト部４０は、その下端を本体部１０の下端または本体部１０の側面に接続されたものである。そして、肩ベルト調整部５０は、肩ベルト部４０相互間の距離を調整するものであり、親の背中の右寄りまたは左寄りまたは中央に接続部を持っていくことになる。
【００７７】
更にまた、実施の形態３のように、乳幼児の身体の反親側にあてがわれる本体部１０の上部から下部に左右の肩ベルト部４０及び肩ベルト部４０相互間の距離を調整する肩ベルト調整部７０を具備する構成とすることができる。この実施の形態では、左右の肩ベルト部４０のみで乳幼児を抱いたり、おんぶしたりすることができる。
なお、乳幼児の身体の反親側にあてがわれる本体部１０の上部から下部に左右の肩ベルト部４０は、本体部１０の位置決めを行うと共に、乳幼児を受ける乳幼児把持部３０，３０Ａ，３０Ｂ，３０Ｃの機能をアシストするものである。また、本体部１０の上部に配設された左右の肩ベルト部４０は、その下端を本体部１０の下端に接続されたものである。そして、肩ベルト調整部７０は、肩ベルト部４０相互間の距離を調整するものであり、親の背中の右寄りまたは左寄りまたは中央に接続部を持っていく構成を採用することができる。
【００７８】
各実施の形態の乳幼児把持部３０，３０Ａ，３０Ｂ，３０Ｃは、その左右両側から乳幼児の脚を出し、固定ベルト部７０で乳幼児の胴体を保持し、乳幼児の胴体を保持することによって乳幼児が倒れ難くするものであるから、安定した抱っこやおんぶができる。
なお、固定ベルト部７０は、乳幼児把持部３０，３０Ａ，３０Ｂ，３０Ｃの左右両側から乳幼児の脚を出し、臀部を保持したとき、乳幼児の胴体を保持できるものであればよい。勿論、このときの乳幼児把持部３０，３０Ａ，３０Ｂ，３０Ｃは、乳幼児の脚用の開口を形成したものであってもよい。また、前記乳幼児の胴体を保持する固定ベルト部７０は、胴体が横に倒れないように保持できるものであればよい。
【００７９】
各実施の形態の乳幼児把持部３０，３０Ａ，３０Ｂ，３０Ｃは、その左右両側から乳幼児の脚を出し、固定ベルト部７０で乳幼児の肩を保持する構成とすることもできる。特に、この構成によれば、乳幼児を寝かせる横抱き抱っこしたときでも安定な状態が維持できる。
なお、この構成の場合にも、乳幼児把持部３０，３０Ａ，３０Ｂ，３０Ｃの左右両側から乳幼児の脚を出し、臀部を保持し、固定ベルト部７０で乳幼児の胴体を保持できるものであればよい。当然、乳幼児の脚用の開口を形成したものであってもよい。また、固定ベルト部７０で乳幼児の肩を保持するものとは、乳幼児把持部３０，３０Ａ，３０Ｂ，３０Ｃの上部から乳幼児の肩を保持するように架設してもよいし、頸部から下を保持する構成としてもよい。
【００８０】
上記各実施の形態においては、図６に示す実施の形態２にかかるベビーキャリアでは、本体部１０と乳幼児把持部３０が通気性のある立体編物であればよい旨説明したが、本発明を実施する場合には、本体部１０と乳幼児把持部３０，３０Ａ，３０Ｂ，３０Ｃの表面の生地を、刺激性のない、肌触りのよい通気性のある生地で部分的または全体的に覆うこともできる。
【００８１】
なお、本体部１０の親側の面と乳幼児把持部３０，３０Ａ，３０Ｂ，３０Ｃのハニカム状のネットの生地の表面の生地は、刺激性のない、肌触りのよい通気性のある生地で部分的または全体的に覆うことができる。このときの本体部１０と刺激性のない生地、肌触りのよい生地の占める表面面積の割合は、デザイン的に決定してもよいし、乳幼児の体形のシルエットラインよりも刺激性のない生地、肌触りのよい生地を広く決定してもよい。また、上記実施の形態では、肌触りのよい生地として表現してきたが、本発明を実施する場合には、肌触りのよい生地に限定されるものではなく、刺激性のない生地及び肌触りのよい生地でも、デザイン的または機械的強度的に材料を選択してもよい。両面を被覆する場合には、通気性を維持できるものとする必要があるが、他の個所で通気性を確保している場合には、通気性のない生地とすることもできる。
【００８２】
勿論、本体部１０の親側の面のみではなく、表裏とすることもできるし、乳幼児把持部３０，３０Ａ，３０Ｂ，３０Ｃについてもその表裏の刺激性のない生地、肌触りのよい生地の占める表面面積の割合は、デザイン的または機械的強度的に材料を選択してもよい。
しかし、本体部１０の親側の面及びその反対側の面、乳幼児把持部３０，３０Ａ，３０Ｂ，３０Ｃの親側の面及びその反対側の面について、全面を被覆する場合には、通気性を維持できるものとする必要がある。
本発明を実施する場合のネットは、本体部１０の少なくとも内面及び／または乳幼児把持部３０，３０Ａ，３０Ｂ，３０Ｃの表裏をハニカム状とするのが望ましいが、５角形、４画径のネット生地とすることもできる。また、前述したように、このネット生地の面に被覆地を被せるのではなくて、ネット生地に他の生地を接続して繋いだ状態とすることもできる。
【符号の説明】
【００８３】
１      織布本体
２      表生地
３      裏生地
１０    本体部
２０    腰ベルト部
３０，３０Ａ，３０Ｂ,３０Ｃ    乳幼児把持部
４０    肩ベルト部
５０    肩ベルト調整部
７０    固定ベルト部
【図１】
2012110418.tif 000003
【図２】
2012110418.tif 000004
【図３】
2012110418.tif 000005
【図４】
2012110418.tif 000006
【図５】
2012110418.tif 000007
【図６】
2012110418.tif 000008
【図７】
2012110418.tif 000009
【図８】
2012110418.tif 000010
【図９】
2012110418.tif 000011
【図１０】
2012110418.tif 000012